(57)【要約】【課題】構造が簡単で部品の数が少ないため組立も簡単であり、収納物を容易に出し入れすることができ、その上安価な収納室用蓋体を提供する。【解決手段】１個又は複数個の収納室を有する物品収納ボックスの前面開口部に配置して収納室を開閉する蓋体１０であって、この蓋体１０は、収納室の幅に対応した幅を有し収納室の天板に接合される取付部材１１と、取付部材１１とほぼ等しい幅で下部に指掛け部１７が形成された開閉部材１５と、開閉部材１５を取付部材１１に回動自在に吊下げる環部材２５とを備えた。【選択図】        図１
2005001728.tif 000002
【特許請求の範囲】
【請求項１】
１個又は複数個の収納室を有する物品収納ボックスの前面開口部に配置して前記収納室を開閉する蓋体であって、
該蓋体は、前記収納室の幅に対応した幅を有し該収納室の天板に接合される取付部材と、該取付部材とほぼ等しい幅で下部に指掛け部が形成された開閉部材と、該開閉部材を前記取付部材に回動自在に吊下げる環部材とを備えたことを特徴とする収納室用蓋体。
【請求項２】
前記開閉部材に、写真やカードを挾持する複数の切込みを設けたことを特徴とする請求項１記載の収納室用蓋体。
【請求項３】
前記開閉部材に、面方向の変形を防止する凸条を設けたことを特徴とする請求項１記載の収納室用蓋体。
【請求項４】
前記開閉部材の外周に沿って凹溝を設けたことを特徴とする請求項１〜３のいずれかに記載の収納室用蓋体。
【請求項５】
収納室の前面開口部に、前記請求項１〜４のいずれかの収納室用蓋体を取付けたことを特徴とする物品収納ボックス。
【発明の詳細な説明】
【０００１】
【発明の属する技術分野】
本発明は、前面の開口部から内部に物品を収納する収納室の開口部を開閉する収納室用蓋体及びこの蓋体を取付けた物品収納ボックスに関するものである。
【０００２】
【従来の技術】
従来のこの種技術に、正面正方形状の開口を前面に有する有底四角箱状をなす箱本体と、前記箱本体の開口を開閉可能とすべく同箱本体の開口側端部に取り付けられる正面正方形状をなす扉より構成し、前記箱本体の開口側の左側辺部及び右側辺部に第１連結部を配置可能に設けるとともに、扉の隣接する側辺部に、前記第１連結部と連結可能な第２の連結部を配置可能に設け、扉を周方向へ回転して所定位置で第２連結部を第１連結部に連結することにより、箱本体に取り付けられた扉の特定の一側辺部の位置を上下左右に変更可能に構成するとともに、扉の開き方向を左又は右へ変更可能に構成した収納箱を複数個組み合わせた集合体より構成した収納体がある（例えば、特許文献１参照）。
【０００３】
また、ダンボール紙を折曲げてラックカバーを構成し、このラックカバーをラック内に押し込んでその前面で前面開口部を閉塞するようにしたラックカバーがある（例えば、特許文献２参照）。
【０００４】
【特許文献１】
特開２００２−２１１６０９号公報
【特許文献２】
意匠登録第１０８１９０９号公報
【０００５】
【発明が解決しようとする課題】
特許文献１の収納体の扉は、構造が複雑で多くの部品を必要とするため、製造が面倒で高価になるとい問題がある。
また、特許文献２のラックカバーは、ラックへの収納物の出し入れが面倒であるばかりでなく、ラックカバーが破損し易い。また、収納物を収納しない状態では、ラックカバーはラックに差し入れただけなので、きわめて不安定である。
【０００６】
本発明は、上記の課題を解決するためになされたもので、構造が簡単で部品の数が少ないため組立も簡単であり、収納室の開口部を容易に開閉することができ、その上安価な収納室用蓋体及びこの蓋体を取付けた物品収納ボックスを提供することを目的としたものである。
【０００７】
【課題を解決するための手段】
（１）本発明に係る収納室用蓋体は、１個又は複数個の収納室を有する物品収納ボックスの前面開口部に配置して前記収納室を開閉する蓋体であって、該蓋体は、前記収納室の幅に対応した幅を有し該収納室の天板に接合される取付部材と、該取付部材とほぼ等しい幅で下部に指掛け部が形成された開閉部材と、該開閉部材を前記取付部材に回動自在に吊下げる環部材とを備えたものである。
【０００８】
（２）上記（１）の開閉部材に、写真やカードを挾持する複数の切込みを設けた。
（３）上記（１）の開閉部材に、面方向の変形を防止する凸条を設けた。
（４）上記（１）〜（３）のいずれかの開閉部材の外周に沿って凹溝を設けた。
【０００９】
（５）また、本発明に係る物品収納ボックスは、収納室の前面開口部に、上記（１）〜（４）のいずれかの収納室用蓋体を取付けたものである。
【００１０】
【発明の実施の形態】
図１は本発明の一実施の形態に係る収納室用蓋体の正面図、上面図及び側面図、図２は蓋体を取付けた物品収納ボックスの斜視図、図３は図２の分解斜視図である。なお、図３において、環部材である連結具は省略して示してある。
図において、１は木材、合成樹脂等からなり、横方向に長く前面が開口された物品収納ボックスの一例を示すもので、横方向に等間隔で設けた仕切板２により複数の収納室３が形成されている。なお、この収納室は１つの場合であってもよい。
【００１１】
１０は物品収納ボックス１の各収納室３の前面開口部を開閉する蓋体で、合成樹脂からなり、長さ（幅）が収納室３の内のり幅とほぼ等しく、断面Ｌ字状に形成された取付部材１１と、合成樹脂製のシート材からなり、幅が取付部材１１の長さとほぼ等しく、上下方向の長さ（高さ）が収納室３の内のり高さより短かく形成され、後述の環部材２５により取付部材１１に回動自在に吊下げられる開閉部材１５とからなっている。なお、実施例では、取付部材１１及び開閉部材１５の板厚を０．７５ｍｍとしたが、これに限定するものではなく、適宜変更することができる。
【００１２】
そして、取付部材１１の垂直片１２には、その両端部近傍から内側に向ってそれぞれ所定の間隔Ｓで貫設された、横長の複数の連結孔１４からなる２つの連結部１４ａ，１４ｂが設けられている。また、開閉部材１５の上部には、取付部材１１の連結孔１４に対応した位置に、横長の複数の連結孔１６が貫設された連結部１６ａ，１６ｂが設けられており、下端部にはほぼ逆Ｕ字状の指掛け部１７が設けられている。
【００１３】
２５は合成樹脂からなり、取付部材１１と開閉部材１５を連結して吊下げる環部材である連結具で、図４（ａ）に示すように、取付部材１１に設けた連結部１４ａ，１４ｂの長さと等しいか又はこれより若干長い断面円弧状の本体部２６と、この本体部２６の一方の側縁から所定の間隔Ｓ１（この間隔Ｓ１は、取付部材１１に設けた連結孔１４の間隔Ｓとほぼ等しい）で設けられた、断面が連結孔１４，１６とほぼ等しい複数の連結リング２７とからなっている。
この連結リング２７は、本体部２６の一方の側縁から、円弧状の本体部２６の半径とほぼ等しい半径でリング状にカールされ、その先端部２８は本体部２６の下面（内面）に沿って巻かれ、連結リング２７の基部近傍に達している。
【００１４】
上記のような連結具２５により取付部材１１と開閉部材１５を連結するには、図４（ｂ）に示すように、連結具２５の本体部２６を取付部材１１の垂直片１２の背面側（裏側）に位置させ、その連結リング２７の先端部２８を取付部材１１の連結孔１４に挿通して表側に引出し、ついで、開閉部材１５の表側から連結リング２７の先端部２８を連結孔１６に挿通して裏側に引出し、本体部２６の内面に当接させればよい。この場合、連結リング２７の先端部２８を例えば円弧状や三角形状に形成すれば、連結孔１４，１６への挿入が容易である。
【００１５】
このようにして、連結具２５の各連結リング２７を、取付部材１１と開閉部材１５の連結孔１４，１５に挿通することにより、開閉部材１５は取付部材１１に回動自在に連結され、吊下げられる。このときの状態を図１に示す。なお、１８は取付部材１１の水平片１３に粘着剤を塗布して離型紙を添着したもので、以下、この部分を単に接着剤という。
この状態における蓋体１０の上下方向の高さＨ１は、物品収納ボックス１の収納室３の内のり高さＨとほぼ等しい。
【００１６】
上記のようにして取付部材１１と開閉部材１５が連結具２５によって連結された蓋体１０は、物品収納ボックス１の収納室３の開口部内に配設され、その前面を開口部の前縁部とほぼ同一平面上に位置させ、取付部材１１の水平片１３に設けた接着剤１８により、収納室３の天板の開口部側下面に接合すれば、蓋体１０は図２に示すように、収納室３の開口部に開閉自在に装着される。
【００１７】
図５は取付部材１１の他の例を示すもので、図５（ａ）は取付部材をＬ字状の取付部材１１に代えて、合成樹脂からなり開閉部材１５とほぼ同じ板厚で平板状の取付部材１１ａで形成したものである。このような取付部材１１ａは、一方の側に複数の連結孔１４を設け、この連結孔１４と開閉部材１５に設けた連結孔１６とを、連結具２５で連結して蓋体１０を構成したものである。
また、図５（ｂ）は、比較的短かい２枚の合成樹脂板にそれぞれ複数の連結孔１４を設けて取付部材１１ｂを形成し、その連結孔１４と開閉部材１５に設けた連結孔１６とを、連結具２５で連結して蓋体１０を構成したものである。
【００１８】
図６は図５（ａ）の蓋体１０を物品収納ボックス１の開口部に取付けた例を示すもので、本例においては、上下方向に長い物品収納ボックス１を仕切板２により３つの収納室３を設け、各収納室３の開口部にそれぞれ蓋体１０を取付けたものである。
本例においては、蓋体１０を収納室３の開口部の外形とほぼ等しい大きさに形成し、各蓋体１０の取付部材１１ａを背面に設けた接着剤１８により物品収納ボックス１の天板及び仕切板２の前面側（必要に応じて側板の一部を含む）にそれぞれ接合し、蓋体１０により天板、底板、側板及び仕切板２を含む物品収納ボックス１の前面側全体を覆うようにしたものである。
【００１９】
また、天板、底板及び仕切板２を両側板の前面側より蓋体１０の板厚分だけ突出させ、取付部材１１ａを端面に設けた接着剤１８により天板及び仕切板２の下面に接合し、開口部及び両側板の前面側を覆うようにしてもよく、この場合にはＬ字状の取付部材１１を使用してもよい。
さらに、図５に示す蓋体１０の取付部材１１ａ又は１１ｂを、その上面に設けた接着剤１８により、図２又は図６に示す物品収納ボックス１の天板及び仕切板２の下面に接合し、開閉部材１５のみが収納室３の開口部に現われるようにしてもよい。
【００２０】
図７は蓋体１０の他の例を示す正面図、上面及び側面図で、図１では、蓋体１０を横方向に比べて縦方向を長く縦長に形成した場合を示したが、本例は、横方向に比べて縦方向を短かく、横長に形成したものである。
【００２１】
上記のように構成した蓋体１０が取付けられた物品収納ボックスにおいて、収納室３に物品を収納し又は収納室３から物品を取出す場合は、図２、図６に示すように、開閉部材１５の指掛け部１７に指を掛けて上方に引上げ、開閉部材１５を取付部材１１（又は１１ａ，１１ｂ）との連結部を軸に回動させて収納部３の開口部を開放し、収納部３内に物品を収納し又は収納部３から物品を取出す。そして、指掛け部１７から指を離せば、開閉部材１５は自重により自動的に回動し、開口部を閉じる。
【００２２】
図８は本発明に係る蓋体１０の他の例を示すものである。
図８（ａ）は合成樹脂からなる横長の開閉部材１５の周縁部を除く正面の大部分に、Ｘ字状の切込み１９を設けたものであり、図８（ｂ）は同じく縦長の開閉部材１５の周縁部を除く正面の大部分に、Ｘ字状の切込み１９を設けたもので、この切込み１９に例えば写真やカードなど２３の四隅を挿入して挾持させることにより、開閉部材１５の表面を加飾することができる。なお、１７ａは開閉部材１５の下部に設けた指掛け部で、円形の貫通で形成したものである。
上記の説明では、開閉部材１５の表面にＸ字状の切込み１９を設けた場合を示したが、これに限定するものではなく、例えば、花や動物等の模様あるいはキャラクタ、さらには円形状、Ｉ字状又はこれらを組合わせた切込みを設けてもよい。
【００２３】
図９、図１０は、合成樹脂からなり横長で上部に連結孔１６を有する蓋体１０の開閉部材１５を示すものである。この開閉部材１５の表面は真空成形法により波形に形成されている。この波形を形成する各凸条２１は、開閉部材１５に立体模様を付加すると共に、真空成形による面方向の変形（反り）を防止している。なお、１７ａは開閉部材１５の下部に設けた円形の指掛け部である。
また、図１１は図１０と同じような構成で外周に沿って凹溝２２を設けたものである。これにより波形の凸条２１と共に開閉部材１５の剛性を高めることができ、変形を防止することができる。なお、この凹溝２２は前記の各開閉部材１５に設けてもよい。
上記の説明では、開閉部材１５の表面に波形の凸条２１を設けた場合を示したが、例えば開閉部材１５の表面の四隅の対角線上にＸ字状の凸条を設けるなど、他の形状にしてもよい。
【００２４】
上記の説明では取付部材１１，１１ａ，１１ｂ及び開閉部材１５からなる蓋体１０を合成樹脂で形成した場合を示したが、厚紙で形成してもよい。また、取付部材１１を接着剤１８により接合する場合を示したが、両面テープを用いてもよく、あるいはビスで固定してもよい。
また、取付部材１１と開閉部材１５を図示の連結具２５からなる環部材で回動自在に連結した場合を示したが、環部材はこれに限定するものではなく、合成樹脂や金属材料からなるリングにより各連結孔１４，１６ごとに連結してもよく、さらには、弾性を有する金属線をスパイラル状に巻回し、連結孔１４，１６に順次挿通して取付部材１１と開閉部材１５を連結してもよい。
【００２５】
【発明の効果】
本発明は、１個又は複数個の収納室を有する物品収納ボックスの前面開口部に配置して前記収納室を開閉する蓋体であって、該蓋体は、前記収納室の幅に対応した幅を有し該収納室の天板に接合される取付部材と、該取付部材とほぼ等しい幅で下部に指掛け部が形成された開閉部材と、該開閉部材を前記取付部材に回動自在に吊下げる環部材とを備えたので、構造が簡単で部品の数が少ないため組立も簡単であり、収納室の開口部を容易に開閉することができ、その上安価な収納室用蓋体を得ることができる。
【図面の簡単な説明】
【図１】本発明の一実施の形態に係る蓋体の正面図、上面図及び側面図である。
【図２】図１の蓋体を物品収納ボックスに取付けた状態の一例を示す斜視図である。
【図３】図２の分解斜視図である。
【図４】図１の連結具の斜視図及びこの連結具により取付部材と開閉部材を連結した状態を示す断面図である。
【図５】取付部材の他の例の斜視図である。
【図６】図５の取付部材を使用した蓋体を物品収納ボックスに取付けた状態の一例を示す斜視図である。
【図７】図１の蓋体の他の例を示す正面図、上面図及び側面図である。
【図８】蓋体の他の例の正面図である。
【図９】蓋体の他の例の正面図、上面図、側面図及びＡ−Ａ断面図である。
【図１０】図９の蓋体の斜視図である。
【図１１】図９の蓋体の他の例の正面図及びＢ−Ｂ断面図である。
【符号の説明】
１  物品収納ボックス、３  収納室、１０  蓋体、１１，１１ａ，１１ｂ  取付部材、１４，１６  連結孔、１５  開閉部材、１９  Ｘ字状の切込み、２１  波形の凸条、２２  凹溝、２３  写真、カード等、２５  連結具、２６  本体部、２７  連結リング。
【図１】
2005001728.tif 000003
【図２】
2005001728.tif 000004
【図３】
2005001728.tif 000005
【図４】
2005001728.tif 000006
【図５】
2005001728.tif 000007
【図６】
2005001728.tif 000008
【図７】
2005001728.tif 000009
【図８】
2005001728.tif 000010
【図９】
2005001728.tif 000011
【図１０】
2005001728.tif 000012
【図１１】
2005001728.tif 000013